(57)【要約】【課題】ファンが落下し難い空調衣服の服本体及び空調衣服を提供する。【解決手段】通気性のない又はファン２による空気の導入によって膨らませることができる程度の通気性を有する服地Ｃを用いて形成され、ファン２を取り付けるためのファン取付部１３と、ファン２によって導入された空気を排出する空気排出部１４と、を備えた服本体１であって、ファン取付部１３は、ファン２を取り付けることができるファン取付孔１３４が形成された裏地１３３と、裏地１３３よりも服本体１の外面側に配置されたメッシュ状部材１３２と、を備え、服本体１の内面側に、メッシュ状部材１３２と裏地１３３との間の空間へと通じ、ファン２を通過させることができる開口部１３５が形成されている。【選択図】図４
2020186483.tif 000002
【特許請求の範囲】
【請求項１】
通気性のない又は空気導入手段による空気の導入によって膨らませることができる程度の通気性を有する服地を用いて形成され、
前記空気導入手段を取り付けるための取付部と、
前記空気導入手段によって導入された空気を排出する空気排出部と、
を備えた空調衣服の服本体であって、
前記取付部は、
前記空気導入手段を取り付けることができる取付孔が形成されたシート状部材と、
前記シート状部材よりも前記服本体の外面側に配置されたメッシュ状部材と、
を備え、
前記服本体の内面側に、前記メッシュ状部材と前記シート状部材との間の空間へと通じ、前記空気導入手段を通過させることができる開口部が形成されていることを特徴とする空調衣服の服本体。
【請求項２】
前記服本体の服地には、当該服地を貫通する孔部が形成され、
前記メッシュ状部材と、前記シート状部材とは、前記孔部を覆うようにして前記孔部周囲の前記服地に接合されていることを特徴とする請求項１に記載の空調衣服の服本体。
【請求項３】
前記シート状部材は、前記服地に前記服本体の内面側から接合され、
前記シート状部材と前記服地とが接合されていない部分の前記シート状部材と前記服地との間に、前記開口部が形成されていることを特徴とする請求項２に記載の空調衣服の服本体。
【請求項４】
前記メッシュ状部材は、前記服本体の内面側から、前記服地に接合されていることを特徴とする請求項１から３のいずれか一項に記載の空調衣服の服本体。
【請求項５】
前記シート状部材としての前記服地に、前記取付孔と、前記開口部と、が形成され、
前記メッシュ状部材は、前記取付孔と、前記開口部と、を前記服本体の外面側から覆うようにして、前記服地に取り付けられていることを特徴とする請求項１に記載の空調衣服の服本体。
【請求項６】
前記開口部を開閉自在とする開閉手段を備えることを特徴とする請求項１から５のいずれか一項に記載の空調衣服の服本体。
【請求項７】
請求項１から６のいずれか一項に記載の空調衣服の服本体と、
前記空調衣服の服本体の内部に空気を導入する空気導入手段と、
前記空気導入手段に電力を供給する電源手段と、
を備えることを特徴とする空調衣服。
【請求項８】
前記空気導入手段は、前記取付孔に挿通された状態で、
前記空気導入手段のうち前記メッシュ状部材と前記シート状部材との間の空間に位置する部分と、前記空気導入手段と係合する所定の取付手段と、によって、前記シート状部材の前記取付孔の周囲の部分を挟むことで、
前記服本体に取り付けられていることを特徴とする請求項７に記載の空調衣服。
【発明の詳細な説明】
【技術分野】
【０００１】
本発明は、空調衣服の服本体及び空調衣服に関するものである。
【背景技術】
【０００２】
近年、身体を冷却する空調衣服が実用化され、急速に普及しつつある。従来の空調衣服は、通気性の低い素材で形成された服本体と、服本体の後側の下方に取り付けられた２つのファンと、２つのファンに電力を供給するための電源装置と、電源装置と２つのファンとを電気的に接続するための電源ケーブルと、を備える。
【０００３】
ファンを作動させると、大量の空気がファンから服本体内に取り込まれ、取り込まれた空気の圧力により服本体と着用者の身体との間に空気流通路が自動的に形成される。取り込まれた空気は、形成された空気流通路を着用者の身体又は下着の表面に沿って流通し、例えば、襟部や袖部の開口部に形成された空気排出部から外部に排出される。
そして、取り込まれた空気が、服本体と着用者の身体又は下着との間の空気流通路を流通する間に、身体から出た汗を蒸発させ、蒸発する際の気化熱により身体が冷却される（例えば、特許文献１参照）。
【０００４】
このような空調衣服においては、服本体に設けられたファン取付孔を挿通するようにしてファンが取り付けられるところ、このようなファンが服本体の外面側へと落下することを防止する等のため、ファン取付孔を服本体の外面側から覆うようにしてメッシュ状部材が備えられた空調衣服が知られている（例えば、非特許文献１参照）。
【先行技術文献】
【特許文献】
【０００５】
【特許文献１】国際公開第２００５／０６３０６５号
【非特許文献】
【０００６】
【非特許文献１】村上被服株式会社ホームページ、［平成３１年４月１５日検索］、インターネット＜ＵＲＬ：https://hooh.jp/full-harness/＞、フルハーネス対応快適ウェア
【発明の概要】
【発明が解決しようとする課題】
【０００７】
空調衣服においては、ファン取付孔を覆うメッシュ状部材が備えられた場合においても、ファンを着脱自在であることが求められる。そこで、非特許文献１に記載の発明においては、メッシュ状部材の脇に開口部を形成した上で、当該開口部を線ファスナーで開閉自在とすることで、当該開口部を用いてファンの着脱を可能としつつ、ファンの装着後には当該開口部を線ファスナーを用いて閉じることで、装着後のファンの落下防止を図っている。
しかしながら、このように服本体の外面側にメッシュ状部材の開口部が存在する構造では、空調衣服の着用中にメッシュ状部材がどこかに引っ掛かってしまった場合等に、当該開口部が開いてしまう可能性は否定できず、ファンの落下を防止する効果は十分ではなかった。
【０００８】
本発明の課題は、ファンが落下し難い空調衣服の服本体及び空調衣服を提供することである。
【課題を解決するための手段】
【０００９】
上記課題を解決するため、請求項１に記載の発明は、
通気性のない又は空気導入手段による空気の導入によって膨らませることができる程度の通気性を有する服地を用いて形成され、
前記空気導入手段を取り付けるための取付部と、
前記空気導入手段によって導入された空気を排出する空気排出部と、
を備えた空調衣服の服本体であって、
前記取付部は、
前記空気導入手段を取り付けることができる取付孔が形成されたシート状部材と、
前記シート状部材よりも前記服本体の外面側に配置されたメッシュ状部材と、
を備え、
前記服本体の内面側に、前記メッシュ状部材と前記シート状部材との間の空間へと通じ、前記空気導入手段を通過させることができる開口部が形成されていることを特徴とする。
【００１０】
請求項２に記載の発明は、請求項１に記載の空調衣服の服本体であって、
前記服本体の服地には、当該服地を貫通する孔部が形成され、
前記メッシュ状部材と、前記シート状部材とは、前記孔部を覆うようにして前記孔部周囲の前記服地に接合されていることを特徴とする。
【００１１】
請求項３に記載の発明は、請求項２に記載の空調衣服の服本体であって、
前記シート状部材は、前記服地に前記服本体の内面側から接合され、
前記シート状部材と前記服地とが接合されていない部分の前記シート状部材と前記服地との間に、前記開口部が形成されていることを特徴とする。
【００１２】
請求項４に記載の発明は、請求項１から３のいずれか一項に記載の空調衣服の服本体であって、
前記メッシュ状部材は、前記服本体の内面側から、前記服地に接合されていることを特徴とする。
【００１３】
請求項５に記載の発明は、請求項１に記載の空調衣服の服本体であって、
前記シート状部材としての前記服地に、前記取付孔と、前記開口部と、が形成され、
前記メッシュ状部材は、前記取付孔と、前記開口部と、を前記服本体の外面側から覆うようにして、前記服地に取り付けられていることを特徴とする。
【００１４】
請求項６に記載の発明は、請求項１から５のいずれか一項に記載の空調衣服の服本体であって、
前記開口部を開閉自在とする開閉手段を備えることを特徴とする。
【００１５】
請求項７に記載の発明は、空調衣服であって、
請求項１から６のいずれか一項に記載の空調衣服の服本体と、
前記空調衣服の服本体の内部に空気を導入する空気導入手段と、
前記空気導入手段に電力を供給する電源手段と、
を備えることを特徴とする。
【００１６】
請求項８に記載の発明は、請求項７に記載の空調衣服であって、
前記空気導入手段は、前記取付孔に挿通された状態で、
前記空気導入手段のうち前記メッシュ状部材と前記シート状部材との間の空間に位置する部分と、前記空気導入手段と係合する所定の取付手段と、によって、前記シート状部材の前記取付孔の周囲の部分を挟むことで、
前記服本体に取り付けられていることを特徴とする。
【発明の効果】
【００１７】
本発明によれば、ファンが落下し難い空調衣服の服本体及び空調衣服を提供することができる。
【図面の簡単な説明】
【００１８】
【図１】第１実施形態に係る空調衣服の正面図である。
【図２】図１のII-II部における断面図である。
【図３】図１のIII-III部における断面図である。
【図４】（ａ）は第１実施形態に係る空調衣服の服本体のファン取付部を、服本体の内面側からみた概略図、（ｂ）は第１実施形態に係る空調衣服の服本体のファン取付部を、服本体の外面側から見た概略図である。
【図５】第１実施形態に係る空調衣服の、服本体に取り付けられた状態のファン及び取付リングの概略図である。
【図６】（ａ）は第２実施形態に係る空調衣服の服本体のファン取付部を、服本体の内面側からみた概略図、（ｂ）は第２実施形態に係る空調衣服の服本体のファン取付部を、服本体の外面側から見た概略図である。
【発明を実施するための形態】
【００１９】
以下、本発明の実施の形態である空調衣服について、図１から図６に基づいて説明する。ただし、本発明の技術的範囲は図示例に限定されるものではない。なお、以下においては、着用者が空調衣服を着用した状態を基準として、着用者の前側を前、着用者の後側を後、着用者の上側を上、着用者の下側を下、着用者の右手側を右、着用者の左手側を左と定めて説明する。
【００２０】
［第１実施形態］
第１実施形態に係る空調衣服１００について、図１から図５に基づいて説明する。
【００２１】
｛実施形態の構成｝
第１実施形態に係る空調衣服１００は、図２及び図３に示すように、服本体１と、服本体１内部に空気を導入するファン２と、ファン２を服本体１に取り付けるための取付リング３と、ファン２に電力を供給する電源部４と、電源部４とファン２とを接続する接続ケーブル５と、を備え、ファン２によって服本体１内に取り込まれた空気を、着用者の身体又は下着の表面に沿って流通させることで、身体から出た汗を蒸発させ、蒸発する際の気化熱により身体を冷却するものである。
【００２２】
（服本体）
服本体１は、図１に示すように、通気性のない又はファン２による空気の導入によって膨らませることができる程度の通気性を有する服地Ｃを用いて、着用者の身体を覆う形状に形成されている。図１においては、服本体１を、上衣及び下衣が一体化されたつなぎ服型に形成しているが、服本体１の形状はこれに限られず、例えば、着用者の胴部及び腕部を覆うブルゾン型や、胴部のみを覆うベスト型に形成することも可能である。
なお、服地Ｃのうち、着用者の身体に向く側を内面Ｉ、その反対側の外部に向く側を外面Ｏとし、また、服地Ｃの内面Ｉが向く側を服本体１の内面側とし、服地Ｃの外面Ｏが向く側を服本体１の外面側とする。
【００２３】
服本体１は、第一開閉手段１１と、空気漏れ防止手段１２と、ファン取付部１３と、空気排出部１４と、電源部保持手段１５と、を備え、ファン取付部１３からファン２によって取り込まれた空気が、空気排出部１４から排出されるように構成されている。
【００２４】
（第一開閉手段）
第一開閉手段１１は、服本体１を前開きとし、空調衣服１００を着用する際に、服本体１の前部を開閉するためのものであり、図１及び図３に示すように、服本体１の前身頃を左右に分割する分割部分の両側に備えられた線ファスナーである。なお、第一開閉手段１１は服本体１の前身頃の分割部分を着脱自在とすることができるものであればよく、線ファスナーに限られないが、空気の漏れを防止する観点からは線ファスナーが望ましい。
【００２５】
（空気漏れ防止手段）
空気漏れ防止手段１２は、図１及び図２に示すように、服本体１の着用者の腹部に対応する位置に備えられた、ファン２によって導入された空気が服本体１と着用者の上半身との間の空間から、服本体１と着用者の下半身との間の空間へと流れることを防止するための手段である。空気漏れ防止手段１２は、例えば、服本体１の着用者の腹部に対応する位置に、ゴム紐等の伸縮性のある部材を、着用者の身体を周回するように備えることによって形成される。
【００２６】
空調衣服１００の着用時においては、空気漏れ防止手段１２によって、服本体１の着用者の腹部に対応する位置が絞り込まれて着用者の身体に密着することで、ファン２によって導入された空気が、服本体１と着用者の上半身との間の空間から、服本体１と着用者の下半身との間の空間へと流れることを防止する。これによって、襟部や袖部の空気排出部１４からの空気の排出量を増やし、冷却効率のよい着用者の上半身への冷却効果を高めることができる。
【００２７】
なお、空気漏れ防止手段１２は必須の構成ではなく、例えば、空気漏れ防止手段１２を備えず、ファン２によって導入された空気が、服本体１と着用者の上半身との間の空間から、服本体１と着用者の下半身との間の空間へも流れ、これが裾から排出されるようにしてもよい。この場合、着用者の全身を万遍なく冷却することが可能となる。
【００２８】
（ファン取付部）
ファン取付部１３は、図１から図３に示すように、服本体１の着用者の左右の脇の下方に対応する位置の２か所に形成された、服本体１にファン２を取り付けるための部分であり、図４に示すように、服本体１の服地Ｃに形成された、これを貫通する孔部１３１と、孔部１３１を覆うメッシュ状部材１３２と、服本体１の服地Ｃの内面Ｉ側に備えられた裏地１３３と、裏地１３３に形成されたファン取付孔１３４と、裏地１３３の上部と服本体１の服地Ｃの内面Ｉとの間に形成された開口部１３５と、から構成されている。
【００２９】
なお、ファン取付部１３が形成される位置としては、空調衣服１００の着用時に比較的蒸れやすい着用者の脇周辺を効果的に冷却する観点からは、上記の位置が好ましいが、これに限られず、例えば、服本体１の後面の着用者の腰に対応する位置に形成することも可能である。
また、ファン取付部１３が形成される個数は、２個に限られず、これより少数又は多数のファン取付部１３を形成し、これに対応した数のファン２を取り付けてもよい。例えば、上記位置に加えて、着用者の下半身の冷却効率を向上するために、着用者の足を覆う部分にも備えてもよい。
【００３０】
（孔部）
孔部１３１は、服本体１の服地Ｃに形成された、内面Ｉ側と外面Ｏ側とを繋ぐ貫通部である。図１及び図４（ｂ）においては矩形状に形成された場合につき図示しているが、孔部１３１の形状は、ファン取付孔１３４に取り付けられた状態のファン２の外面側に空気の取り込み口を形成できるものであれば任意であり、例えば、円形や三角形であってもよい。
【００３１】
（メッシュ状部材）
メッシュ状部材１３２は、図１及び図４（ｂ）に示すように、孔部１３１の全体を覆うように服本体１の服地Ｃに取り付けられた網状の部材であり、図３に示すように、服地Ｃの内面Ｉ側に孔部１３１の全体を覆うようにして配置された上で、孔部１３１の周囲を囲むように、例えば縫合等の方法で、隙間なく服地Ｃに接合されている。
なお、孔部１３１の周囲と隙間なく接合されていることは必須ではなく、後述のファン２が通過できない程度の隙間であれば、メッシュ状部材１３２と服地Ｃの内面Ｉとの間に残っていても問題はない。したがって、例えば、メッシュ状部材１３２は、孔部１３１の周囲の服地Ｃに、ファン２が通過できない程度の一定間隔の隙間を空けて断続的に接合されていてもよい。
【００３２】
メッシュ状部材１３２の具体的な形状は、メッシュの各開口部が、ファン２が通過できない大きさであると共に、ファン２からの換気を妨げない程度の開口度を有するものであれば任意である。また、材料も、ファン２の落下を防止できる程度の強度を有するものであれば任意の材料を用いることができる。
【００３３】
（裏地）
裏地１３３は、図２から図４に示すように、服本体１の服地Ｃの内面Ｉ側に、孔部１３１を覆うように備えられた矩形状のシート状部材であり、図４に示すように、中央部の孔部１３１と重なる位置に、ファン２を取り付けるためのファン取付孔１３４が形成されている。裏地１３３としては、孔部１３１の全体を覆い、さらにメッシュ状部材１３２の全体を覆うため、メッシュ状部材１３２よりもサイズの大きいものが用いられることが好ましい。
【００３４】
裏地１３３に用いられる生地は、通気性を有しないか、又はファン２による空気の導入によって服本体１を膨らませる上で障害とならない程度の通気性を有するものであり、かつ、ファン取付孔１３４にファン２を取り付けることができる程度の強度を有するものであれば任意である。したがって、服地Ｃと同一であってもよいが、ファン２取り付け時の強度を高めるため、服地Ｃよりも厚手の生地を用いることが好ましい。
服地Ｃ全体を厚手の生地で製造すると、着用者が動き難くなる等の弊害が生じる可能性があるが、ファン取付孔１３４が形成される裏地１３３のみを厚手の生地とすることで、このような弊害を生じることなく、ファン２取り付け時の強度を向上することが可能となる。
【００３５】
裏地１３３は、図２及び図４（ａ）に示すように、上辺を除いた三辺に沿って形成された接合部１３３１において、服地Ｃの内面Ｉの孔部１３１の周囲の部分に対して縫合等の方法によって接合されている。
【００３６】
（ファン取付孔）
ファン取付孔１３４は、裏地１３３に形成された、ファン２が取り付けられる円形の孔部である。ファン取付孔１３４は、その直径が、後述のファン２の筒状部２３の外径と同一か極僅かに大きくなるように形成されており、ファン２の筒状部２３がファン取付孔１３４を挿通するようにして、後述のように取付リング３を用いてファン２を取り付けることができる。
【００３７】
裏地１３３のファン取付孔１３４の周囲の部分は、シート状部材を折り返した上で縫合する、プラスチック等によって形成された扁平な環状の部材を取り付ける等の方法で補強されていることが、ファン２を取り付け易くし、また、取り付けられたファン２を外れ難くする上で好ましい。
【００３８】
（開口部）
上記のように、裏地１３３は、上辺を除いた三辺に沿って形成された接合部１３３１において服地Ｃに接合されているが、裏地１３３の上辺は、当該辺の端部付近を除いて服地Ｃに接合されておらず、図２及び図４（ａ）に示すように、孔部１３１上方の服地Ｃの内面Ｉと裏地１３３との間に、ファン２を、その取り付け時にはメッシュ状部材１３２と裏地１３３との間の空間に差し入れ、また、その取り外し時にはメッシュ状部材１３２と裏地１３３との間の空間から取り出すための開口部１３５が形成されている。開口部１３５は、必ずしも裏地１３３上辺の全体に亘って形成されている必要はないが、少なくともファン２を通過させることができる大きさを有する必要がある。
【００３９】
（第二開閉手段）
第二開閉手段１３６は、開口部１３５を開閉自在とするための手段であり、例えば面ファスナーを用い、図４（ａ）に示すように、一方を裏地１３３上端部付近の服地Ｃに対向する面に備え、他方をこれと対向する位置の服地Ｃの内面Ｉに備えることで、裏地１３３の上端部付近を服地Ｃに着脱自在に接続可能とすることによって形成されている。
なお、第二開閉手段１３６は、面ファスナーには限られず、裏地１３３上端部付近と、これと対向する位置の服地Ｃの内面Ｉとを着脱自在に接続可能であれば任意の構成を採用可能であり、例えば、線ファスナーを用いてもよい。ただし、第二開閉手段１３６を閉じた際に、開口部１３５から孔部１３１を通じて外部へと空気が漏れることを防止できるものであることが好ましい。
【００４０】
（空気排出部）
空気排出部１４は、ファン取付部１３に取り付けられたファン２によって服本体１内に導入された空気を、着用者の身体又は下着に沿って流通させた後に排出するための開口部であり、図１から図３に示すように、着用者の首と服本体１の襟部の端部との間の開口部と、着用者の腕と服本体１の袖部の端部との間の開口部と、に形成される。
なお、空気排出部１４は、ファン２によって服本体１内に導入された空気を、着用者の身体又は下着に沿って流通させた後に排出できるものであればよく、その形成位置は、襟部及び袖部に限定されない。
【００４１】
（電源部保持手段）
電源部保持手段１５は、図２及び図３に示すように、服本体１の内面側に形成されたポケットであり、電源部４が収納される。
電源部保持手段１５は、図２及び図３に示すように、服本体１の前身頃のファン取付部１３のそれぞれと近接した位置の２か所に備えられている。これによって、ファン２のそれぞれに対して、近接した位置に電源部４を配置することで、接続ケーブル５を短くすることができることから、接続ケーブル５が空調衣服１００の着用時に着用者の邪魔になり難くなる。
【００４２】
電源部保持手段１５は、図２及び図３に示すように、服本体１の内面側にポケットを形成しつつ、当該ポケットに対応する服地Ｃに孔部を設けた上で、図１に示すように、例えば面ファスナー等を備える蓋１５１を用いて服本体１の外面側から当該孔部を開閉自在とすることで、服本体１の外面側から電源部４を出し入れすることができるように構成されている。
これによって、空調衣服１００の着用者による電源部の着脱及び電源部の操作が容易となる。
【００４３】
なお、電源部保持手段１５の形成位置は上記のものが好ましいが、これに限られず、服本体１の内面側のその他の位置に備えることも可能である。また、形成数も二つに限られず、電源部保持手段１５及びこれに収納された電源部４を一つしか備えず、一つの電源部４から二つのファン２に対して電力を供給するようにしてもよい。
また、電源部保持手段１５としては、必ずしもポケットを用いる必要はなく、電源部４を服本体１に装着することが可能であれば、その他の構成を採用することも可能である。さらに、服本体１に電源部保持手段１５を備えず、例えば着用者のズボンのベルト等に電源部４をクリップ等を用いて取り付けることにより、電源部４が服本体１に装着されないようにすることも可能である。
【００４４】
（ファン）
ファン２は、服本体１と着用者の身体との間の空間に空気を導入する本発明における空気導入手段であり、図２、図３及び図５に示すように、ファン取付部１３の裏地１３３に形成されたファン取付孔１３４を挿通するようにして、服本体１に取り付けられる。
【００４５】
ファン２は、内部にプロペラ（不図示）とプロペラを回転させるモーター（不図示）とを収納し、図５に示すように、ファン２の使用時において空気が取り込まれる側を構成する空気取込部２１と、ファン２の使用時において空気が送出される側を構成する空気送出部２２と、空気取込部２１と空気送出部２２との間の筒状の連結部である筒状部２３と、筒状部２３の空気取込部２１側の端部から筒状部２３の側面と略垂直な方向に突出するフランジ部２４とを有する。
筒状部２３は、その中心軸に垂直な平面で切った際の断面の外形が円形となる円筒状に形成され、その外径は、ファン取付部１３のファン取付孔１３４の直径と同一か極僅かに小さくなるように形成されている。
【００４６】
また、ファン２は、空気送出部２２側の所定の位置に、接続ケーブル５と接続される接続端子２５を有する。接続端子２５は、接続ケーブル５を接続し、電源部４から電力の供給を受けることができる端子であれば、その具体的な構成は任意である。
【００４７】
（取付リング）
取付リング３は、ファン２をファン取付部１３のファン取付孔１３４に取り付けるための、本発明における取付手段としてのリング状の部材である。取付リング３は、その内径が、ファン２の筒状部２３の外形と同一か、極僅かに大きくなるように形成されており、図５に示すように、筒状部２３が取付リング３を挿通するようにして、ファン２に取り付けることができる。
【００４８】
ファン２の筒状部２３の外面と、取付リング３の内面と、には、例えば、取付リング３の内面側に凸部が形成され、筒状部２３の外面側に当該凸部と係合する凹部を形成することにより、係止手段（不図示）が形成されている。
【００４９】
（電源部）
電源部４は、ファン２に電力を供給するための部材であり、例えば、安全保護回路が付加されたリチウムイオン組電池が内蔵されている。また、電源部４は、図２及び図３に示すように、電源部保持手段１５によって服本体１に装着され、接続ケーブル５を通じてファン２と接続される。
電源部４は、着用者の操作に対応して電源のオン・オフや、電源部４からファン２に供給される電力の強度の切り替えができるように、操作手段（不図示）を備える。
操作手段としては、着用者の操作に対応して電源のオン・オフや、電源部４からファン２に供給される電力の強度の切り替えができるものであれば、その具体的な構成は任意である。
【００５０】
（接続ケーブル）
接続ケーブル５は、電源部４とファン２とを接続するケーブルであり、接続ケーブル５を通じて、電源部４からファン２に対して、ファン２の稼働に必要な電力が供給される。
接続ケーブル５は、電源部４からファン２に対して、ファン２の稼働に必要な電力を供給できるものであればよく、その具体的な構成は任意である。
【００５１】
｛ファンの取り付け方法｝
服本体１のファン取付部１３にファン２を取り付ける方法につき、以下説明する。
【００５２】
１．ファン２から取付リング３を取り外す。
２．第二開閉手段１３６の接続を外して開口部１３５を開き、ファン２を、開口部１３５から、メッシュ状部材１３２と裏地１３３との間の空間に差し入れ、空気取込部２１がメッシュ状部材１３２側に向き、空気送出部２２が裏地１３３側に向くようにして、メッシュ状部材１３２と裏地１３３との間の空間に配置する。
３．ファン２の空気送出部２２側をファン取付孔１３４に挿入して、フランジ部２４が、裏地１３３のメッシュ状部材１３２と対向する側の、ファン取付孔１３４周囲の部分と接するようにする。
４．取付リング３を、裏地１３３の着用者の身体と対向する側（服本体１の内面側）からファン２の筒状部２３の外側に差し込むことにより、フランジ部２４と取付リング３とによって、裏地１３３のファン取付孔１３４周囲の部分を挟み込み、その状態で係止手段によって取付リング３をファン２に固定する。
【００５３】
上記の過程を経ることによって、図２、図３及び図５に示すように、本発明における空気導入手段であるファン２を、ファン取付孔１３４を挿通するようにして、服本体１に取り付けることができる。なお、ファン２の取り外し時には、上記と反対の過程を経ればよい。
【００５４】
｛実施形態の効果｝
本実施形態に係る空調衣服１００によれば、ファン２を服本体１に取り付けた状態で、服本体１の外面側において、ファン２はメッシュ状部材１３２に覆われている。さらに、上記のようにしてファン２を服本体１に着脱可能であることから、服本体１の外面側には、ファン２の着脱のために、メッシュ状部材１３２と裏地１３３との間の空間へと通じる、ファン２を通過させることができる開口部を設けることを要しない。
したがって、例えばメッシュ状部材１３２が着用者の周囲の障害物に引っ掛かってしまった場合等、空調衣服１００の外部からの影響を受けた場合にも、このような開口部が予期せず開いてしまうおそれがない。
したがって、服本体１から、ファン２が、服本体１の外面側へと落下してしまうおそれを低減することができる。
【００５５】
また、本実施形態によれば、ファン２は、服本体１の服地Ｃとは別個の裏地１３３に形成されたファン取付孔１３４に取り付けられるため、ファン２が取り付けられるファン取付孔１３４の周囲に、服地Ｃとは異なる生地を用いることが容易となる。これによって、例えば、服地Ｃにつき空調衣服１００の着心地を重視して比較的柔らかい生地を用いつつ、ファン２が取り付けられる裏地１３３には、ファン２の取付強度を重視して比較的固い厚手の生地を用いることによって、空調衣服１００の着心地と、服本体１に対するファン２の取付強度とを両立することができる。
【００５６】
また、本実施形態によれば、メッシュ状部材１３２が、内面Ｉ側から服地Ｃに接合されていることから、当該接合部が空調衣服１００の使用中に外部に引っ掛かってしまうことがなくなり、メッシュ状部材１３２が服本体１から外れ難くなる。
【００５７】
［第２実施形態］
本発明の第２実施形態について、図６に基づいて説明する。
なお、ファン取付部１３Ａ以外の構成は、第１実施形態に係る空調衣服１００と同様であることから、説明を省略する。
【００５８】
ファン取付部１３Ａは、図６に示すように、服本体の服地Ｃに直接形成されたファン２を取り付けるためのファン取付孔１３４Ａと、ファン取付孔１３４Ａの上方に形成された服地Ｃを貫通する切れ目である開口部１３５Ａと、開口部１３５Ａを服本体１の内面側から開閉自在とする第二開閉手段１３６Ａとしての線ファスナーと、ファン取付孔１３４Ａ及び開口部１３５Ａの両者を服本体の外面側から覆うようにして、服地Ｃの外面Ｏに接合されたメッシュ状部材１３２Ａと、からなる。
この場合、服本体の服地Ｃのうち、メッシュ状部材１３２Ａと重なる部分が、本発明における、取付部を構成するシート状部材となる。
【００５９】
メッシュ状部材１３２Ａは、ファン取付孔１３４Ａ及び開口部１３５Ａの周囲を囲むようにして、隙間なく、又はファン２が通過できない程度の隙間のみを残して、縫合等の方法によって、服地Ｃと接合されている。
【００６０】
本実施形態によっても、第二開閉手段１３６Ａの接続を外して開口部１３５Ａを開き、服本体１の内面側から、開口部１３５Ａを介して、メッシュ状部材１３２Ａと、本発明における取付部を構成するシート状部材としての服地Ｃとの間にファン２を差し入れた後に、ファン２と取付リング３とによってファン取付孔１３４Ａの周囲の服地Ｃを挟むことによって、服本体１にファン２を取り付けることができる。また、取り付け時の反対の過程を経て、服本体１からファン２を取り外すことができる。したがって、服本体の外面側には、ファン２の着脱のために、メッシュ状部材１３２と服地Ｃとの間の空間に通じる、ファン２を通過させることができる開口部を設けることを要しない。
したがって、本実施形態によっても、ファン２が、服本体の外面側へと落下してしまうおそれを低減することができる。
【００６１】
なお、本実施形態によっては、第１実施形態と異なり、ファン２が取り付けられるファン取付孔１３４Ａの周囲に、服地Ｃとは別個の生地を用いることを容易とするといった効果や、メッシュ状部材１３２Ａを服地Ｃの内面Ｉ側から接続することで、メッシュ状部材１３２Ａを服本体１から外れ難くするといった効果は得られなくなる。したがって、機能の観点からは、第１実施形態の方がより好ましい。
しかしながら、第２実施形態によれば、裏地１３３を取り付ける必要がなくなるため、第１実施形態よりも製造効率を向上することが可能となる。
【符号の説明】
【００６２】
１００  空調衣服
１  服本体
１３、１３Ａ  ファン取付部（取付部）
１３１  孔部
１３２、１３２Ａ  メッシュ状部材
１３３  裏地（シート状部材）
１３４、１３４Ａ  ファン取付孔（取付孔）
１３５、１３５Ａ  開口部
１３６、１３６Ａ  第二開閉手段
１４  空気排出部
２  ファン（空気導入手段）
３  取付リング（取付手段）
４  電源部（電源手段）
５  接続ケーブル（電源手段）
Ｃ  服地（シート状部材）
【図１】
2020186483.tif 000003
【図２】
2020186483.tif 000004
【図３】
2020186483.tif 000005
【図４】
2020186483.tif 000006
【図５】
2020186483.tif 000007
【図６】
2020186483.tif 000008